(57)【特許請求の範囲】
【請求項１】
人の首回りに装着される襟状の首回り部を有し、かつ、開放可能な合わせ部を備えたケープ本体と、
一枚の紙状片が山折りされてなり、前記首回り部を覆い隠す襟当て部と当該襟当て部の下端部に備えられた一組の固定片を具備する首回り片を少なくとも１枚備え、
順次最も外側に位置される襟当て部が少なくとも除去可能に、一枚の紙状片が山折りされてなる襟当て部が前記首回り片の襟当て部に複数枚重ねられた状態で、前記固定片が前記首回り部周辺のケープ本体を挟み込むように前記ケープ本体に着脱自在に備えられたことを特徴とする理美容用ケープ。
【請求項２】
人の首回りに装着される襟状の首回り部を有し、かつ、開放可能な合わせ部を備えたケープ本体と、
一枚の紙状片が山折りされてなり、前記首回り部を覆い隠す襟当て部と当該襟当て部の下端部に備えられた一組の固定片とを具備する首回り片を複数枚備え、
順次最も外側に位置される襟当て部が少なくとも除去可能に複数枚の前記首回り片が重ねられた状態で、前記固定片が前記首回り部周辺のケープ本体を挟み込むように当該複数枚の首回り片が前記ケープ本体に着脱自在に備えられたことを特徴とする理美容用ケープ。
【請求項３】
前記襟当て部と前記固定片との境界近傍に切取部が設けられたことを特徴とする請求項２に記載の理美容用ケープ。
【請求項４】
前記重ねられた組をなす固定片がそれぞれ一体に綴じられたことを特徴とする請求項２又は３のいずれかに記載の理美容用ケープ。
【請求項５】
前記ケープ本体は、首回り部を備えた第１のケープ片と当該第１のケープ片の周縁に備えられる第２のケープ片に分割され、前記第１のケープ片が交換可能になっていることを特徴とする請求項１〜４のいずれかに記載の理美容用ケープ。
【請求項６】
人の首回りに装着される襟状の首回り部を有し、かつ開放可能な合わせ部を備えた理美容用ケープに着脱自在に取り付けられる襟用品であって、
一枚の紙状片が山折りされてなり、前記首回り部を覆い隠す襟当て部と当該襟当て部の下端部に備えられ前記首回り部周辺のケープ本体を挟み込んだ状態で取り付け可能にする一組の固定片を有する首回り片を少なくとも１枚具備し、順次最も外側に位置される襟当て部が少なくとも除去可能に一枚の紙状片が山折りされてなる襟当て部が複数枚重ねられたことを特徴とする襟用品。
【請求項７】
人の首回りに装着される襟状の首回り部を有し、かつ開放可能な合わせ部を備えた理美容用ケープに着脱自在に取り付けられる襟用品であって、
一枚の紙状片が山折りされてなり、前記首回り部を覆い隠す襟当て部と当該襟当て部の下端部に備えられ前記首回り部周辺のケープ本体を挟み込んだ状態で取り付け可能にする一組の固定片を有する首回り片を複数枚備え、順次最も外側に位置される襟当て部が少なくとも除去可能に複数枚の首回り片が重ねられたことを特徴とする襟用品。
【請求項８】
前記襟当て部と前記固定片との境界近傍に切取部が設けられたことを特徴とする請求項７に記載の襟用品。
【請求項９】
前記重ねられた組をなす固定片が一体に綴じられたことを特徴とする請求項７又は８のいずれかに記載の襟用品。
【発明の詳細な説明】
【０００１】
【発明が属する技術分野】
本発明は理美容用ケープ及び襟用品に関する。具体的には、理髪店等においてカット時や洗髪時に用いられる理美容用ケープ及び理美容用ケープに装着される襟用品に関する。
【０００２】
【従来の技術】
理髪店や美容院などでは、顧客の胸元が汚れるのを防いだり、首回りから髪の毛が入らないようにするため、いわゆるカットクロスやシャンプークロスなどと称される理美容用ケープ（理美容用クロス）が用いられる。図１１は、こういった理美容用ケープ１００を示す概略図である。この理美容用ケープ１００は、その用途に応じて、略正方形状若しくは略長方形状に形成されており、中心より軸方向にやや偏った位置に首回り部１１０を有している。理美容用ケープ１００は、その使用目的に応じて、胸元若しくは背中で開放可能になった合わせ部１２０を有しており、首回り部１１０の合わせ部には図示しない面ファスナーを備えている。この理美容用ケープ１００は、例えばシャンプークロスでは、合わせ部１２０を胸元に位置すると共に首回り部１１０を人の首回りに密着して着用される。
【０００３】
しかしながら、首回り部１１０が直接人の肌に触れる結果、この部分に汗が付着して汚れやすく、非常に不衛生なものであった。特に夏場などにおいては、この部分から不快な臭気が発生して、顧客に不快な思いをさせることがあった。また、理美容用ケープ１００を使い捨てにして顧客ごとに交換するのでは無駄が多い。
【０００４】
一方、シャンプークロスやカラークロスなどでは、合わせ部１２０のない箇所、特に首回り部１１０の周辺部分に洗髪時のシャンプーや汚水、染毛剤などが付着し、この部分だけが著しく汚れる。このため、当該周辺部分よりも外周縁に近い場所にてケープを二分し、面ファスナーなどを使用して首回り部を含むケープ片を交換可能にしたものも考案されている。
【０００５】
しかしながら、このような理美容用クロスにおいても、顧客ごとにケープ片を交換したのでは依然として無駄が多く費用負担が大きい。また、首回り部を含むケープ片の交換に手間が掛ってしまい顧客への対応も悪くなる。
【０００６】
【発明が解決しようとする課題】
本発明は上記従来技術の問題点に鑑みてなされたものであって、簡単な方法によって首回り部を清潔に保つと共に顧客に不快な思いをさせることのない理美容用ケープを安価に提供することにある。
【０００７】
【課題を解決するための手段】
本発明の理美容用ケープは、人の首回りに装着される襟状の首回り部を有し、かつ、開放可能な合わせ部を備えたケープ本体と、一枚の紙状片が山折りされてなり、前記首回り部を覆い隠す襟当て部と当該襟当て部の下端部に備えられた一組の固定片を具備する首回り片を少なくとも１枚備え、順次最も外側に位置される襟当て部が少なくとも除去可能に、一枚の紙状片が山折りされてなる襟当て部が前記首回り片の襟当て部に複数枚重ねられた状態で、前記固定片が前記首回り部周辺のケープ本体を挟み込むように前記ケープ本体に着脱自在に備えられたことを特徴としている。
【０００８】
この理美容用ケープにおいては、一枚の紙状片が山折りされてなり、前記首回り部を覆い隠す襟当て部と当該襟当て部の下端部に備えられた一組の固定片とを具備する首回り片を複数枚備え、順次最も外側に位置される襟当て部が少なくとも除去可能に複数枚の前記首回り片が重ねられた状態で、前記固定片が前記首回り部周辺のケープ本体を挟み込むように当該複数枚の首回り片を前記ケープ本体に着脱自在に備えてもよい。
【０００９】
この場合においては、前記襟当て部と前記固定片との境界近傍に切取部を設けるのが好ましい。
【００１０】
さらに、重ねられた組をなす固定片をそれぞれ一体に綴じるのがより好ましい。
【００１１】
また、本発明においては、前記ケープ本体を、首回り部を備えた第１のケープ片と当該第１のケープ片の周縁に備えられる第２のケープ片とに分割し、前記第１のケープ片を交換可能にすることができる。
【００１２】
本発明の襟用品は、人の首回りに装着される襟状の首回り部を有し、かつ開放可能な合わせ部を備えた理美容用ケープに着脱自在に取り付けられる襟用品であって、一枚の紙状片が山折りされてなり、前記首回り部を覆い隠す襟当て部と当該襟当て部の下端部に備えられ前記首回り部周辺のケープ本体を挟み込んだ状態で取り付け可能にする一組の固定片を有する首回り片を少なくとも１枚具備し、順次最も外側に位置される襟当て部が少なくとも除去可能に一枚の紙状片が山折りされてなる襟当て部が複数枚重ねられたことを特徴としている。
【００１３】
この襟用品にあっては、一枚の紙状片が山折りされてなり、前記首回り部を覆い隠す襟当て部と当該襟当て部の下端部に備えられ前記首回り部周辺のケープ本体を挟み込んだ状態で取り付け可能にする一組の固定片を有する首回り片を複数枚備え、順次最も外側に位置される襟当て部が少なくとも除去可能に複数枚の首回り片を重ね合わせてもよい。
【００１４】
この場合においては、前記襟当て部と前記固定片との境界近傍に切取部を設けたり、重ねられた前記組をなす固定片をそれぞれ一体に綴じるのが好ましい。
【００１５】
【発明の実施の形態】
図１は本発明の一実施形態である理美容用ケープ１の一部を破断した概略図、図２は当該理美容用ケープ１に用いられる襟用品２０の斜視図、図３は当該理美容用ケープ１を着用した状態を示す説明図である。以下、各図を参照しながら本発明について詳細に説明する。
【００１６】
本発明に係る理美容用ケープ１は、ケープ本体１０とケープ本体１０の首回り部１１に取り付けられる襟用品２０とから構成される。ケープ本体１０は、従来例である図１１に示す理美容用ケープ１００とほぼ同様な構造であって、略正方形状若しくは長方形状をしたケープ部１２と首回り部１１とを備えている。ケープ本体１０は、例えば綿やポリエステル繊維などの合成繊維などからなる布から作製され、その中央から軸方向にやや偏った位置に首回り部１１を備えている。首回り部１１は、顧客の首回りに密着できるよう襟状に作製されている。
【００１７】
ケープ本体１０は開放可能になっており、ケープ部１２のいずれか一方の合わせ部１２ａには装着片１３が延設されている。当該装着片１３の裏面には面ファスナー１４ａが備えられ、残る一方の合わせ部１２ｂ表面に備えられた面ファスナー１４ｂと対をなしている。２つの合わせ部１２ａ，１２ｂはこの対となった面ファスナー１４ａ，１４ｂによって重ね合わされ、顧客に着用される。装着片１３は襟用品２０の固定部２１と重ならないように設けられる。このような装着片１３を設けることにより、襟用品２０に面ファスナーを備えることなく顧客に着用可能にすると共に首回りとの隙間を極力少なくできる。しかも、首回りにおける違和感を低減できる。また、ケープ部１２の首回り部１１周辺には、襟用品２０を取り付けるための小孔１５が複数設けられている。なお、この小孔１５は襟用品２０の取付手段に合わせて設ければよいものであり、必須のものではない。
【００１８】
襟用品２０はケープ本体１０に着脱可能に取り付けられる。この襟用品２０は、複数枚、例えば１０枚の首回り片２２が重ねられて作製されており、首回り片２２が重ねられた状態でケープ本体１０に取り付けられる。１枚１枚の首回り片２２は、首回り部１１が直接顧客の肌（首回り）に触れないようにするためのものであって、順次最も外側に位置する首回り片２２のみが人の首回りに触れることになる。
【００１９】
各首回り片２２は、図４に示すように、１枚の長方形状をした薄い紙状物から作製される。この首回り片２２は、顧客一人一人に対して使い捨てにされるものであって、肌当たりがよく、耐水性を有する極く薄い紙やプラスチック製フィルムなどから作製される。首回り片２２は、例えば１０枚の紙状物が重ね合わされた後に、図４に示す一点破線イの位置において紙状物の長手方向と平行に２つ折りにされ、ケープ本体１０を挟み込める形状に成形される。また、首回り部１１を覆い隠しながらケープ本体１０に取り付け易くするため、首回り片２２を重ね合わせた状態で側面視で略くの字形状となるよう、一点破線ロ及びハの位置において折り目が付けられる。この折り目より中央側の部分が襟当て部２３として首回り部１１を覆い隠すように被せられ、折り目より下端部側（図４では襟当て部２３の上下両側）に位置する部分が一組の固定片２４として、首回り部１１周辺のケープ部１２に取り付けられる。また、首回り片２２の長手方向長さは、ケープ本体１０の首回り部１１の長さとほぼ同じ長さにされる。
【００２０】
さらに、当該実施形態においては、首回り部１１の内側及び外側となる位置において、前記襟当て部２３に前記折り目とほぼ同位置に２本のミシン線２５ａからなる切取部２５が備えられる。この切取部２５を破り取ることによって襟当て部２３が首回り片２２から取り除かれる。また、固定片２４にはケープ本体１０への取り付け用の小孔２６が複数設けられている。この小孔２６及びケープ本体１０の小孔１５を使い、図５に示す如く、ケープ本体１０を挟み込むようにして、一組のいわゆるスナップ式ボタン３０によって重ねられた首回り片２２（固定片２４）がケープ部１２に取り付けられる。スナップ式ボタン３０は、突起３２を有する雄ボタン３１と前記突起３２が嵌合する凹部３４を有する雌ボタン３３とから構成されており、両者の離合が自由に行える。
【００２１】
こうして襟用品２０が取り付けられた理美容用ケープ１は、合わせ部１２ａ，１２ｂを重ね合わせて顧客に着用される。また、襟用品２０は顧客の首回りにほぼ密着される。このとき、顧客の肌に触れるのは最も外側にある首回り片２２の襟当て部２３のみであって、直接ケープ本体１０の首回り部１１が顧客の肌に触れることはない。そして、一人の顧客に使用した後には、切取部２５を破り取ることによって、新たな襟当て部２３を表に出すことができる。このように本発明の理美容用ケープ１によれば、ケープ１自体を取り替えることなく顧客一人一人に対して常に新しい首回り片２２（襟当て部２３）をあてがうことができる。また、全ての首回り片２２（襟当て部２３）を使用し切った場合には、スナップ式ボタン３０を開放し、ケープ本体１０に残された全ての固定片２４を取り除いて、再び新たな襟用品２０を取り付けることができる。こうしてケープ本体１０が汚れるまで、連続して使用できる。
【００２２】
また、当該襟用品２０には、図６に示すように、顧客の首筋、すなわち首の背後が当たる場所に、例えばプレス加工などにより湾曲した傾斜部２７を設けておくのが好ましい。このプレス加工は、首回り片２２を重ね合わせた後に行なうのがよい。傾斜部２７を設けることで、洗髪のために理髪用椅子の背もたれが倒され顧客が仰向けになった際、顧客の首筋が当該傾斜部２７に沿って位置することになり、襟用品２０による異物感、圧迫感が和らげられる。
【００２３】
本発明は、複数枚の首回り片２２を予め重ねた状態で首回り部１１に装着しておき、使用済の首回り片２２をその都度取り除いて一人一人の顧客に対して常に新しい首回り片２２を使用できるようにするものであり、首回り片２２のうち、顧客の首回りに接触する部分、すなわち少なくとも襟当て部２３を部分的に取り除くことができればその目的を十分に達成できる。従って、２本のミシン線２５ａによる切取部２５は必ずしも必要なものではなく、一点破線ロ及びハの近傍にて折り目に沿って１本のミシン線を設け、当該ミシン線で襟当て部２３を切り離すようにしても差し支えない。また、例えば図７に示す襟用品２０の如く、襟当て部２３頂部の両端を結ぶ円弧状にミシン線２５ａを備えてもよい。この場合には、襟当て部２３のいずれか一方の頂部から襟当て部２３を破り取ればよく、一回の動作で新たな襟当て部２３を表に出すことができる。
【００２４】
また、１枚１枚の首回り片２２をスナップ式ボタン３０などによってケープ本体１０に着脱自在に装着することも考えられるが、これでは首回り片２２の交換作業が面倒なものになり、次の顧客に対してすぐに使用できない。このため、本発明においては、上記実施形態の如く、複数枚好ましくは１０〜２０枚程度の首回り片２２を重ね合わせた状態でケープ本体１０に装着するのが好ましい。重ね合わせる枚数は、首回り片２２に用いる紙状片の材質や厚さ等に応じて適宜決められるものであって、１０枚より少なくとも多くともよく、襟用品２０を交換する手間なども考慮して決めることにすればよい。
【００２５】
このとき、首回り片２２を単に重ねるのみでケープ本体１０に取り付けてもよいが、これだけでは取り付け用の小孔２６位置がずれてしまい、ケープ本体１０への装着が困難になる恐れが強い。そこで、重ね合わされた固定片２４を一体に綴じた状態にしておくのが好ましい。
【００２６】
この方法には種々の方法が考えられる。例えば、重ね合わせた固定片２４を接着剤を用いて貼り合わせる、ステープラーで固定する、小孔２６若しくはそれ以外の位置を鳩目で固定する、ヒートシールなどによって貼り合わせるなど方法があるが、切取部２５を切り離して襟当て部２３を除去できる方法であればいずれの方法でもよい。特に、図８に示す如く鳩目機能を備えたスナップ式ボタンを用いれば、予め固定片２４を重ね合わせた状態にして提供することができると共にケープ本体１０への装着も容易に行える。このスナップ式ボタン３０は、一組の雄ボタン３１と雌ボタン３３とから構成されており、雄ボタン３１は、突起３２を有する雄ボタン本体３１ａと当該雄ボタン本体３１ａの外周部に填め合わせられるリング部３１ｂとから構成され、雄ボタン本体３１ａを重ね合わせた一方の固定片２４の内側に置き、当該固定片２４の外側からリング部３１ｂを填め合わせて固定片２４を綴じることができる。また、雌ボタン３３は、凹部３４を有する雌ボタン本体３３ａと当該雌ボタン本体３３ａの外周部に填め合わせられるリング部３３ｂとから構成され、雌ボタン本体３３ａを重ね合わせた固定片２４の内側に置き、当該固定片２４の外側からリング部３３ｂを填め合わせて残る片側の固定片２４を綴じることができる。なお、この場合には固定片２４の小孔２６は不要である。このようにこのスナップ式ボタン３０においては雄ボタン３１及び雌ボタン３３が鳩目の役目を果たすとともに、ケープ本体１０への取付手段を兼ね備えることになり、作業性が向上される。また、ケープ本体１０への取り付け前にあっては、重ねた一組の固定片２４を閉じ合わせた状態で提供できる。
【００２７】
このように本発明においては、ケープ本体１０の首回り部１１が直接顧客の肌に触れないよう、少なくとも首回り部１１に覆い被される襟当て部２３（首回り片２２）が複数枚使い捨て可能に装着されているので、顧客に対しては常に新しい襟当て部２３を使え、非常に衛生的な理美容用ケープ１とすることができる。また、予め複数枚の首回り片２２が重ねられてケープ本体１０に取り付けられているので、使用された首回り片２２を取り除くという至極簡単な方法によって、顧客ごとに首回り片２２を交換して付け直すことなく新たな首回り片２２（襟当て部２３）を使用できる。
【００２８】
さらに、本発明においては、図９に示す如くケープ本体１０を２分して、首回り部１１を含む上ケープ片１２ａと、それ以外の下ケープ片１２ｂとからケープ本体１０を構成することにしてもよい。すなわち、下ケープ片１２ｂの上縁部に上ケープ片１２ａの下縁部が重なるようにケープ本体１０を作製し、上ケープ片１２ａの裏面と下ケープ片１２ｂの表面とに備えた面ファスナー１６で両者を着脱自在するのが好ましい。こうすれば、上ケープ片１２ａの汚れがひどくなった場合に上ケープ片１２ａのみを交換すればよく、さらに経済的なものにできる。また、予め襟用品２０を装着した上ケープ片１２ａをいくつか用意しておけば、比較的短時間の間に汚れのない理美容用ケープ１に交換でき、顧客を待たすことなく清潔な理美容用ケープ１を着用できる。
【００２９】
本発明においては、上記目的を達成できるものであれば、上記実施形態以外にも種々の応用例が考えられる。まず、上記実施形態では、襟当て部２３を固定片２４から切り離すように構成したが、ミシン線を設けずに最も外側に位置する１枚の首回り片２２全体を強制的に取り去るようにしてもよい。この場合には、１枚１枚の固定片２４を取り除けるような手段、例えば小孔２６のみを鳩目によってケープ本体１０に固定する、剥離可能な粘着剤を用いて固定片２４を貼り合わせて綴じる方法が用いられる。前者の方法では、鳩目の部分において固定片２４を引裂くようにして首回り片２２を取り除き、後者の方法では最も外側の位置にある首回り片２２を残りの首回り片から剥がすようにすればよい。
【００３０】
さらに、上記実施形態においては、首回り片２２が重ねられた襟用品２０はスナップ式ボタン３０によってケープ本体１０に着脱自在に取り付けられているが、当該取付手段として、この他にも例えば、図示はしないが最も内側に置かれた固定片２４の裏面とケープ本体１０の表裏面とに面ファスナーを備えて、着脱自在に襟用品２０を取り付けることもできる。
【００３１】
また、本発明では必ずしも着脱自在な手段により襟用品２０を取り付ける必要もなく、例えば、１０枚の首回り片２２を重ねた状態でケープ本体１０に完全に固定してしまい、首回り片２２をすべて使用した場合には、ケープ本体１０（このときには、固定片２４が重ねられた状態でケープ本体１０に残っている。）を廃棄するようにしてもよい。
【００３２】
さらに最も極端に言えば、本発明においてはケープ本体１０の首回り部１１を覆い隠す襟当て部２３を複数枚重ねた状態でケープ本体１０の首回り部１１に取り付けることができればよく、図４に示す一枚の紙状片のうち、一点破線ロから一点破線ハの間の部分を用いて山折りにし、図１０に示す如く固定片２４を除く襟当て部２３のみを重ね合わせた襟用品２０とすることもできる。この場合には、最も下側に置かれた固定片２４の裏面と首回り部１１に面ファスナー（図示せず）を備えてケープ本体１０に着脱自在にし、重ね合わされた各首回り片２２は剥離可能な程度の弱い粘着剤によって貼り合わせておけばよい。
【００３３】
このように本発明の理美容用ケープ１においては、顧客の首回りに接する襟当て部２３を有する首回り片２２が重ねられた状態でケープ本体１０に備えられ、最も外側に位置する首回り片２２、少なくとも襟当て部２３が除去可能に構成されているので、ケープ本体１０を交換することなく常に新しい襟当て部２３を使うことができる。
【００３４】
また、襟用品２０は予めケープ本体１０に備えられた状態で提供されるものでもなく、従来例で説明したような理美容用ケープ１００に後から取り付けることもできるものである。この場合、図５や図８に示すようなスナップ式ボタン３０を使うことにより、無理やりにケープ１００自体に孔を開け、あるいは孔を開けることなく、襟用品２０を取り付けられる。
【００３５】
なお、本発明の理美容用ケープは、従来例と同様に洗髪用のシャンプークロス、散髪用のカットクロス、染髪用のカラークロス、パーマ用のパーマクロスなど種々の用途に用いられるものである。
【００３６】
【発明の効果】
本発明の理美容用ケープによれば、人の首回りに装着される首回り部を有し、かつ、開放可能な合わせ部を備えたケープ本体と、前記首回り部を覆い隠す襟当て部を有する複数枚の首回り片とを備え、順次最も外側に位置される襟当て部が少なくとも除去可能に前記首回り片が重ねられた状態で前記ケープ本体に備えられているので、首回り片を付け直すことなく、複数回の使用に際してその都度新たな襟当て部を至極簡単に用意することができる。
【００３７】
さらに、ケープ本体を首回り部を備えた第１のケープ片と当該第１のケープ片の周縁に備えられる第２のケープ片に分割し、前記第１のケープ片を交換可能にすることにより、比較的汚れやすい首回り部を交換することができ、より経済的なケープとすることができる。
【００３８】
また、本発明の襟用品によれば、人の首回りに装着される首回り部を有し、かつ開放可能な合わせ部を備えた理美容用ケープに取り付けられる襟用品であって、前記首回り部を覆い隠す襟当て部を有する複数枚の首回り片からなり、順次最も外側に位置される襟当て部が少なくとも除去可能に前記首回り片が重ねられているので、当該襟用品を理美容用ケープの首回り部に取り付けることにより、ケープの首回り部は直接人の肌に触れず、また、首回り片を付け直すことなく、複数回の使用に際してその都度新たな襟当て部を用意することができる。
【００３９】
このように、本発明によれば、至極簡単に新しい襟当て部を次から次へ用意でき、常に衛生的な状態で理美容用ケープを顧客に着用できる。また、首回り片を使い切った場合や従来の理美容用ケープに対しては交換用の襟用品を用意するだけでよく、非常に安価に提供できる。
【図面の簡単な説明】
【図１】本発明の一実施形態である理美容用ケープを一部破断した概略図である。
【図２】図１の理美容用ケープに用いられる襟用品の斜視図である。
【図３】図１の理美容用ケープを着用した状態を示す説明図である。
【図４】襟用品を構成する首回り片を示す平面図である。
【図５】襟用品の取り付け方法を示す説明図である。
【図６】本発明の別な実施形態である襟用品の斜視図である。
【図７】本発明のさらに別な実施形態である襟用品の斜視図である。
【図８】首回り片を綴じる方法の一例を示す説明図である。
【図９】本発明の別な実施形態である理美容用ケープの概略図である。
【図１０】本発明のさらに別な実施形態である襟用品の斜視図である。
【図１１】従来例である理美容用ケープの概略図である。
【符号の説明】
１  理美容用ケープ
１０  ケープ本体
１２  ケープ部
１２ａ，１２ｂ  合わせ部
１３  装着片
２０  襟用品
２２  首回り片
２３  襟当て部
２４  固定片
２６  取り付け用の小孔
３０  スナップ式ボタン
３１  雄ボタン
３２  雌ボタン
【図１】
0003614805.tif 000002
【図２】
0003614805.tif 000003
【図３】
0003614805.tif 000004
【図４】
0003614805.tif 000005
【図５】
0003614805.tif 000006
【図６】
0003614805.tif 000007
【図７】
0003614805.tif 000008
【図８】
0003614805.tif 000009
【図９】
0003614805.tif 000010
【図１０】
0003614805.tif 000011
【図１１】
0003614805.tif 000012